(57)【特許請求の範囲】
【請求項１】
互いに離隔した地点に配置した複数の計測拠点における計測データ収集を、基地局から通信回線を介して伝達される計測開始信号と衛星からの時刻信号波（ＧＰＳ）に基づき実行する同時多点計測システムであって、
前記基地局は、前記計測開始信号として計測開始時刻を含まない単純な計測開始トリガー信号を発生する計測開始トリガー信号発生手段を具備しており、
前記各計測拠点は、
・センサー手段、
・基地局の前記計測開始トリガー信号を受信する計測開始トリガー信号受信手段、
・衛星からの時刻信号波を受信するＧＰＳ受信手段、
・少なくとも前記各測定拠点の計測開始トリガー信号受信手段間での計測開始トリガー信号受信時間差のうちもっとも大きい計測開始トリガー信号受信時間差の２倍を超える長い周期の標準パルス信号であって、前記ＧＰＳ受信手段が受信する時刻信号波に基づき他の測定拠点におけるそれと時刻同期し且つ同じ周期を持つ標準長パルス信号を出力する標準長パルス信号発生手段、
・クロックを用いサンプリング周期信号を出力するサンプリング周期信号出力手段
・計測開始トリガー受信手段が受信する計測開始トリガー信号、サンプリング周期信号出力手段からのサンプリング周期信号、センサー手段からのセンシングデータ、および、標準長パルス信号発生手段の発生する標準長パルス信号を受け取り、計測開始トリガー信号の受け取り時点から少なくとも標準長パルス信号の１周期時間を超えるまで、サンプリング周期信号に対応した周期でセンシングデータを順次収集し、且つ、収集に係るセンシングデータと当該センシングデータ収集時点の標準長パルス信号のオン・オフ状態を対として順次記録するデータ記録手段、
でもって構成したことを特徴とする同時多点計測システム。
【請求項２】
前記各計測拠点には、前記標準長パルス信号発生手段の発生する標準長パルス信号周期より短い１／Ｎ（Ｎは１を除く整数）周期で発生させる標準短パルス信号であって、前記ＧＰＳ受信手段が受信する時刻信号波に基づきその立上り（または立下り）時刻を、前記標準長パルス信号の立上り（または立下り）時刻と同期した標準短パルス信号を発生する標準短パルス信号発生手段を具備しており、
この標準短パルス信号発生手段の発生する標準短パルス信号を、前記データ記録手段に入力し、前記データ記録手段は、サンプリング周期信号に対応した周期でセンシングデータを順次収集し、且つ、収集に係るセンシングデータ、当該センシングデータ収集時点の標準長パルス信号および標準短パルス信号のオン・オフ状態を対として順次記録するよう構成したことを特徴とする請求項１記載の同時多点計測システム。
【発明の詳細な説明】
【技術分野】
【０００１】
本発明は、複数の計測拠点で計測するデータを時間的に同期して記録する同時多点計測
システムに関するものである。
【背景技術】
【０００２】
この種の同時多点計測システムは、複数の計測拠点で被測定物に設けた複数の検出手段からの各データを、時間的な関連性を持たずに基地局に伝送されるようにしたのでは、各データの時間的な関連性が判らないことから、基地局から同期信号を重畳させる時刻を基地局から各計測拠点に通信手段で予め送信して設定しておき、各計測拠点で衛星からの時刻信号波をＧＰＳ受信部で受信し、受信した時刻信号波に基づいて目的の時刻になると前記検地手段からのデータの各々に同期信号を重畳させるようにしている。このように、データの各々に同時刻における同期信号を重畳させることで、各データそのものに時間的な関連性がなくても、同期信号を重畳させているものだから、同期信号を利用して各データ間での時間的関連を持たせることができ各データ間の測定を正確に行うことができる（例えば、特許文献１参照。）。
【特許文献１】特開２０００−２６６６２６公報（第３頁第１５段落、図１〜図５）
【発明の開示】
【発明が解決しようとする課題】
【０００３】
ところが上記従来の同時多点計測システムは、各データに同期信号を重畳させるために同期信号を重畳させる時刻を基地局から各計測拠点に通信手段で予め送信して設定しておく必要がある。すなわち、計測する際に前もって計測時間のスケージュリングが必要である。また、各計測拠点では、衛星からの時刻信号波をＧＰＳ受信部で受信し、設定された時刻を判別し、設定された時刻になると信号合成部で同期信号をデータに重畳させるようにする必要がある。すなわち、各計測拠点で衛星からの時刻信号波をＧＰＳ受信部で受信する際に、逐次現在の時刻情報を入手し、設定された時刻と比較し設定された時刻になったかどうかを判別させる必要があり、ＧＰＳ受信部での処理が複雑である。本発明は、このような課題をなくした同時多点計測システムを提供することを目的とする。
【課題を解決するための手段】
【０００４】
上記の目的を達成するため、本発明の請求項１記載の同時多点計測システムは、互いに離隔した地点に配置した複数の計測拠点における計測データ収集を、基地局から通信回線を介して伝達される計測開始信号と衛星からの時刻信号波（ＧＰＳ）に基づき実行する同時多点計測システムであって、前記基地局は、前記計測開始信号として計測開始時刻を含まない単純な計測開始トリガー信号を発生する計測開始トリガー信号発生手段を具備しており、前記各計測拠点は、
・センサー手段、
・基地局の前記計測開始トリガー信号を受信する計測開始トリガー信号受信手段、
・衛星からの時刻信号波を受信するＧＰＳ受信手段、
・少なくとも前記各測定拠点の計測開始トリガー信号受信手段間での計測開始トリガー信号受信時間差のうちもっとも大きい計測開始トリガー信号受信時間差の２倍を超える長い周期の標準パルス信号であって、前記ＧＰＳ受信手段が受信する時刻信号波に基づき他の測定拠点におけるそれと時刻同期し且つ同じ周期を持つ標準長パルス信号を出力する標準長パルス信号発生手段、
・クロックを用いサンプリング周期信号を出力するサンプリング周期信号出力手段
・計測開始トリガー信号受信手段が受信する計測開始トリガー信号、サンプリング周期信号出力手段からのサンプリング周期信号、センサー手段からのセンシングデータ、および、標準長パルス信号発生手段の発生する標準長パルス信号を受け取り、計測開始トリガー信号の受け取り時点から少なくとも標準長パルス信号の１周期時間を超えるまで、サンプリング周期信号に対応した周期でセンシングデータを順次収集し、且つ、収集に係るセンシングデータと当該センシングデータ収集時点の標準長パルス信号のオン・オフ状態を対として順次記録するデータ記録手段、でもって構成したことを特徴とするものである。
【０００５】
請求項２記載の同時多点計測システムは、請求項１記載の同時多点計測システムにおいて、前記各計測拠点には、前記標準長パルス信号発生手段の発生する標準長パルス信号周期より短い１／Ｎ（Ｎは１を除く整数）周期で発生させる標準短パルス信号であって、前記ＧＰＳ受信手段が受信する時刻信号波に基づきその立上り（または立下り）時刻を、前記標準長パルス信号の立上り（または立下り）時刻と同期した標準短パルス信号を発生する標準短パルス信号発生手段を具備しており、この標準短パルス信号発生手段の発生する標準短パルス信号を、前記データ記録手段に入力し、前記データ記録手段は、サンプリング周期信号に対応した周期でセンシングデータを順次収集し、且つ、収集に係るセンシングデータ、当該センシングデータ収集時点の標準長パルス信号および標準短パルス信号のオン・オフ状態を対として順次記録するよう構成したことを特徴とするものである。
【発明の効果】
【０００６】
請求項１に係る本発明の同時多点計測システムは、各計測拠点において基地局からの計測開始トリガー信号発生手段による計測開始トリガー信号を計測開始トリガー信号受信手段で受信し、標準長パルス信号発生手段によりＧＰＳ受信手段で受信した衛星からの時刻信号波に基づき標準長パルス信号を出力し、センサー手段によりセンシングデータを検出し、サンプリング周期信号出力手段によりクロックを用いてサンプリング周期信号を出力し、データ記録手段により計測開始トリガー信号、サンプリング周期信号、センシングデータ、標準長パルス信号を受け取って、計測開始トリガー信号の受け取り時点から、少なくとも標準長パルス信号の１周期時間を超えるまで、サンプリング周期信号に対応した周期でセンシングデータを順次収集し、且つ、収集に係るセンシングデータと当該センシングデータ収集時点の標準長パルス信号のオン・オフ状態を対として順次記録するものである。
【０００７】
すなわち、各計測拠点での計測の開始は、基地局からの計測開始トリガー信号発生手段により発生させた計測開始トリガー信号を計測開始トリガー信号受信手段で受信した時点から行うようにしてあるものだから、計測する際に前もって計測時間のスケージュリングをする必要がなく、基地局からいつでも計測を開始することができる。
【０００８】
また各計測拠点で記録される標準長パルス信号のオン・オフ状態は、前記ＧＰＳ受信手段が受信する時刻信号波に基づき他の測定拠点におけるそれと時刻同期し且つ同じ周期を持つようにしており、しかも各計測拠点のデータ記録手段で記録されるデータは収集に係るセンシングデータと当該センシングデータ収集時点の標準長パルス信号のオン・オフ状態を対として順次記録するようにしてあるものだから、各計測拠点におけるセンシングデータ間における時間的関連性を持たせることができる。
【０００９】
そして、少なくとも前記各測定拠点の計測開始トリガー信号受信手段間での計測開始トリガー信号受信時間差のうちもっとも大きい計測開始トリガー信号受信時間差の２倍を超える長い周期で前記ＧＰＳ受信手段が受信する時刻信号波に基づき他の測定拠点におけるそれと時刻同期し且つ同じ周期の標準パルス信号を標準長パルス信号発生手段で発生させるようにしており、各計測拠点で衛星からの時刻信号波をＧＰＳ受信手段が受信する際に、逐次現在の時刻までの判別する必要がなく、ＧＰＳ受信部での処理を簡単にすることができる。
【００１０】
請求項２に係る本発明の同時多点計測システムは、請求項１記載の同時多点計測システムの前記各計測拠点に、前記標準長パルス信号発生手段の発生する標準長パルス信号周期より短い１／Ｎ（Ｎは１を除く整数）周期で、前記ＧＰＳ受信手段が受信する時刻信号波に基づきその立上り（または立下り）時刻を、前記標準長パルス信号の立上り（または立下り）時刻と同期した標準短パルス信号を発生する標準短パルス信号発生手段を具備している。そして前記データ記録手段は、当該センシングデータ収集時点の標準長パルス信号の他に標準短パルス信号のオン・オフ状態も対として順次記録するよう構成したものである。
【００１１】
よって、各計測拠点のデータ記録手段で記録されるデータは収集に係るセンシングデータと当該センシングデータ収集時点の標準長パルス信号および標準短パルス信号のオン・オフ状態を対として順次記録するようにしてあるものだから、標準長パルス信号の立上り（または立下り）からの時刻を標準短パルス信号とサンプリング周期信号を用いてセンシングデータとの時間的関連性をより正確に計測することができる。
【発明を実施するための最良の形態】
【００１２】
以下本発明に係る同時多点計測システムの実施形態について、図１〜図４に図示し以下に説明する。図１は、本発明に係る同時多点計測システムを説明する説明図であり、図２は、本発明に係る同時多点計測システムにおける各計測拠点での各信号およびセンシングデータを説明する説明図である。図３および図４は、本発明に係る同時多点計測システムにおける各計測拠点での各信号およびセンシングデータを説明する他の説明図である。
【００１３】
図１において、Ａは、基地局、Ｂ，Ｃは、互いに離隔した地点に配置した計測拠点、Ｄは、通信回線である。基地局Ａから通信回線Ｄを介して計測開始信号を各計測拠点Ｂ，Ｃに伝達するようにしている。基地局Ａは、計測開始トリガー信号発生手段１０と同期演算処理手段１２とを具備している。計測開始トリガー信号発生手段１０は、前記計測開始信号として計測開始時刻を含まない単純な計測開始トリガー信号を発生する手段であって、計測開始操作手段１１の操作信号を受けて計測開始トリガー信号を発生させる。同期演算処理手段１２は、各計測拠点Ｂ，Ｃから記録されたデータを受け取り、各計測拠点Ｂ，Ｃで計測されたセンシングデータとセンシングデータ間における時間的関連性を持たせるために記録した信号を利用して各センシングデータを同期させたデータになるよう演算処理する手段である。
【００１４】
各計測拠点Ｂ，Ｃは、センサー手段２０、計測開始トリガー信号受信手段２１、ＧＰＳ受信手段２２、標準長パルス信号発生手段２３、標準短パルス信号発生手段２４、サンプリング周期信号出力手段２５、データ記録手段２６を具備している。
【００１５】
センサー手段２０は、目的のセンシングデータを得る手段である。計測開始トリガー信号受信手段２１は、基地局Ａの計測開始トリガー信号発生手段１０から出力される計測開始トリガー信号を受信する受信手段である。ＧＰＳ受信手段２２は、衛星Ｅからの時刻波信号を受信する手段である。
【００１６】
標準長パルス信号発生手段２３は、少なくとも前記各測定拠点Ｂ，Ｃの計測開始トリガー信号受信手段２１で受信される開始トリガー信号の受信時間差の２倍を超える長い周期のパルス信号であって、時刻信号波に基づき他の測定拠点Ｂ，Ｃにおけるそれと時刻同期し且つ同じ周期を持つ標準長パルス信号を出力する出力手段である。すなわち、前記各測定拠点Ｂ，Ｃの計測開始トリガー信号受信手段２１間の計測開始トリガー信号受信時間差の２倍を超える長い周期のパルス信号に設定しているのは、各測定拠点Ｂ，Ｃの計測データでの同期時刻の関連を得るときに、立上り時刻が同じ時刻を示すのか、1つずれた時刻を示すのかを記録したデータから判定できるようにするために設定するようにしたものである。例えばこの標準長パルス信号は、４ＳＥＣ程度の等間隔でオン・オフのパルス信号を出力させるようにしている。
【００１７】
標準短パルス信号発生手段２４は、前記標準長パルス信号発生手段２３の発生する標準長パルス信号周期より短い１／Ｎ（Ｎは１を除く整数）周期で発生させる標準短パルス信号であって、前記ＧＰＳ受信手段２２が受信する時刻信号波に基づきその立上り（または立下り）時刻を、前記標準長パルス信号の立上り（または立下り）時刻と同期した標準短パルス信号を発生する。例えばこの標準短パルス信号は、１０ｍＳＥＣ程度の等間隔でオン・オフのパルス信号を出力させるようにしている。
【００１８】
サンプリング周期信号出力手段２５は、クロックを用いサンプリング周期信号を出力する手段であり、例えば２０μＳＥＣ程度の間隔で信号を出力するようにしている。
【００１９】
データ記録手段２６は、計測開始トリガー信号受信手段２１が受信する計測開始トリガー信号、サンプリング周期信号出力手段２５からのサンプリング周期信号、センサー手段２０からのセンシングデータ、標準長パルス信号発生手段２３の発生する標準長パルス信号、および標準短パルス信号発生手段の発生する標準短パルス信号を受け取り、計測開始トリガー信号の受け取り時点から少なくとも標準長パルス信号の１周期時間を超えるまで、サンプリング周期信号に対応した周期でセンシングデータを順次収集し、且つ、収集に係るセンシングデータ、当該センシングデータ収集時点の標準長パルス信号および標準短パルス信号のオン・オフ状態を対として順次記録するようにしてある。すなわち、少なくとも標準長パルス信号の１周期時間を超えるまで計測させるのは、計測したデータ中に必ず同期した時刻を示す標準長パルスを含むようにするためである。そして計測開始トリガー信号の受け取り時点から計測を開始し、計測の終了は少なくとも標準長パルス信号の１周期時間を超えるまでの時間をタイマー等で時間設定してある。したがって、各計測拠点Ｂ，Ｃで、少なくとも標準パルス信号周期の１／２の時間がオーバラップする計測データが記録することができる。
【００２０】
−通信回線Ｄには、基地局Ａの計測開始トリガー信号発生手段１０からの計測開始信号を各計測拠点Ｂ，Ｃに伝達するために、計測開始信号伝達手段２７を配置している。この計測開始信号伝達手段２７は、基地局Ａから各計測拠点Ｂ，Ｃに有線により直接伝達させるもの、あるいは無線、光、各インターネット、携帯電話等の各種通信手段を利用したものであってもよい。
【００２１】
各計測拠点Ｂ，Ｃのデータ記録手段２６で記録されたデータは、基地局Ａの同期演算処理手段１２にデータ移動手段２８で伝達させる。このデータ移動手段２８は、各計測拠点Ｂ，Ｃから基地局Ａに有線により直接伝達させるもの、あるいは無線、光、各インターネット、携帯電話等の各種通信手段を利用したものであってもよい。また、各データ記録手段２６で各種の記録媒体に書込み、各記録媒体を介して基地局Ａの同期演算処理手段１２で記録されたデータを読取るようにしてもよい。
【００２２】
このように構成した本発明に係る同時多点計測システムは、次のように作用する。まず基地局Ａで計測開始操作手段１１を操作して計測の開始操作をする。すると計測開始トリガー信号発生手段１０から計測開始トリガー信号にトリガー波形が出力される。計測開始トリガー信号は、計測開始信号伝達手段２７により各計測拠点Ｂ，Ｃの計測開始トリガー信号受信手段２１に伝達される。
【００２３】
各計測拠点Ｂ，Ｃにおいて、基地局Ａからの計測開始トリガー信号を計測開始トリガー信号受信手段２１で受信する。ＧＰＳ受信手段２２で衛星からの時刻信号波を受信する。標準長パルス信号発生手段２３は、ＧＰＳ受信手段２２により受信した衛星からの時刻信号波に基づき標準長パルス信号を発生させる。また、標準短パルス信号発生手段２４は、前記ＧＰＳ受信手段２２が受信する時刻信号波に基づき、前記標準長パルス信号発生手段２３の発生する標準長パルス信号周期より短い１／Ｎ（Ｎは１を除く整数）周期で、その立上り（または下り）時刻を、前記標準長パルス信号の立上り（または立下り）時刻と同期した標準短パルス信号を発生する。サンプリング周期信号出力手段２５は、クロックを用いてサンプリング周期信号を出力する。センサー手段２０は、センシングデータを逐次検出する。
【００２４】
データ記録手段２６は、計測開始トリガー信号受信手段２１による計測開始トリガー信号、サンプリング周期信号出力手段２５によるクロックを用いたサンプリング周期信号、センサー手段２０によるセンシングデータ、標準長パルス信号発生手段２３から出力される標準長パルス信号、標準短パルス信号発生手段２４から出力される標準短パルス信号を受け取って、計測開始トリガー信号のトリガー波形を受け取り時点から少なくとも標準長パルス信号の１周期時間を超えるまで、サンプリング周期信号に対応した周期でセンシングデータを順次収集し、且つ、収集に係るセンシングデータと当該センシングデータ収集時点の標準長パルス信号および標準短パルス信号のオン・オフ状態を対として順次記録する。
【００２５】
すなわち、計測拠点Ｂおよび計測拠点Ｃでの各信号およびセンシングデータを図２に共通した時間軸に基づいて説明する。図２において、ａは、計測拠点Ｂの計測開始トリガー信号発生手段２１で受信した計測開始トリガー信号であって、ａ０は、基地局Ａの計測開始操作手段１１を操作した時に計測開始トリガー信号発生手段１０により発生させたトリガー波形を受信した状態を示している。bは、計測拠点Cの計測開始トリガー信号発生手段２１で受信した計測開始トリガー信号であって、b０は、基地局Ａの計測開始操作手段１１を操作した時に計測開始トリガー信号発生手段１０により発生させたトリガー波形を受信した状態を示している。トリガー波形ａ０に比較してトリガー波形b０は、時間軸で少し遅れている。これは、基地局Ａの計測開始トリガー信号発生手段１０により発生させたトリガー波形が計測拠点Ｂに伝達されるまでの時間と計測拠点Ｃに伝達されるまでの時間に差があることを示している。
【００２６】
ｃは、計測拠点Ｂの標準長パルス信号発生手段２３で発生させた標準長パルス信号であって、例えば４ＳＥＣの等間隔でオン・オフを繰返すパルス信号である。ｄは、計測拠点Ｃの標準長パルス信号発生手段２３で発生させた標準長パルス信号であって、例えば４ＳＥＣの等間隔でオン・オフを繰返すパルス信号である。標準長パルス信号ｃと標準長パルス信号ｄは、衛星Ｅからの時刻信号波に基づき発生させるようにしており、時刻同期し且つ同じ周期となるようにしている。
【００２７】
ｅは、計測拠点Ｂの標準短パルス信号発生手段２４で発生させた標準短パルス信号であって、前記標準長パルス信号発生手段２３の発生する標準長パルス信号ｃ周期の１／Ｎ（Ｎは１を除く整数）周期で発生させ、前記ＧＰＳ受信手段２２が受信する時刻信号波に基づきその立上り（または立下り）時刻を、前記標準長パルス信号ｃの立上り（または立下り）時刻と同期した標準短パルス信号を発生する。例えばこの標準短パルス信号は、１０ｍＳＥＣの等間隔でオン・オフを繰返すパルス信号である。
【００２８】
ｆは、計測拠点Ｃの標準短パルス信号発生手段２４で発生させた標準短パルス信号であって、前記標準長パルス信号発生手段２３の発生する標準長パルス信号ｄ周期の１／Ｎ（Ｎは整数）周期で発生させ、前記ＧＰＳ受信手段２２が受信する時刻信号波に基づきその立上り（または立下り）時刻を、前記標準長パルス信号ｄの立上り（または立下り）時刻と同期した標準短パルス信号を発生する。例えばこの標準短パルス信号は、１０ｍＳＥＣの等間隔でオン・オフを繰返すパルス信号である。
【００２９】
なお、図２に図示する標準短パルス信号ｅおよび標準短パルス信号ｆは、標準長パルス信号ｃおよび標準長パルス信号ｄの一周期に対して１／１４周期として記載しているが、実際には１／４００周期で発生させている。
【００３０】
ｇは、計測拠点Ｂのクロックを用いたサンプリング周期信号であって、２０μＳＥＣ間隔で信号を発生させている。同様にｈは、計測拠点Ｃのクロックを用いたサンプリング周期信号であって、２０μＳＥＣ間隔で信号を発生させている。なお、図２に図示するサンプリング周期信号ｇおよびサンプリング周期信号ｈは、点で示しているが、実際にはここでは点で示めされない程の数を発生させている。
【００３１】
ｉは、計測拠点Ｂのセンサー手段２０で計測されたセンシングデータであり、ｊは、計測拠点Ｃのセンサー手段２０で計測されたセンシングデータである。
【００３２】
このような信号およびセンシングデータは、計測拠点Ｂのデータ記録手段２６で次のように記録される。すなわち、計測開始トリガー信号ａのトリガー波形ａ０を受信した時点から、サンプリング周期信号ｇに対応した周期でセンシングデータｉを順次収集し、且つ、収集に係るセンシングデータｉと当該センシングデータ収集時点の標準長パルス信号ｃと標準短パルス信号ｅのオン・オフ状態を対として順次記録する。
【００３３】
同様に計測拠点Ｃのデータ記録手段２６でも同様に記録される。すなわち、計測開始トリガー信号ｂのトリガー波形ｂ０を受信した時点から、サンプリング周期信号ｈに対応した周期でセンシングデータｊを順次収集し、且つ、収集に係るセンシングデータｊと当該センシングデータ収集時点の標準長パルス信号ｄと標準短パルス信号ｆのオン・オフ状態を対として順次記録する。
【００３４】
このように記録したデータは、データ移動手段２８を介して基地局Ａの同期演算処理手段１２に伝達される。同期演算処理手段１２では、計測拠点Ｂおよび計測拠点Ｃから送られてきたデータを次のようにして同期演算処理する。すなわち、計測開始トリガー信号ａのトリガー波形ａ０を受信した時から次に標準長パルス信号ｃのパルスが立上る点ｃ０までのサンプリング周期Ｔａ（サンプリングの数）と、計測開始トリガー信号ｂのトリガー波形ｂ０を受信した時から次に標準長パルス信号ｄのパルスが立上る点ｄ０までのサンプリング周期Ｔｂ（サンプリングの数）とを比較する。
【００３５】
例えば、図２に図示するように、−Ｔ／２≦Ｔａ−Ｔｂ≦Ｔ／２の時にはｃ０とｄ０が同時刻として判断し、計測拠点Ｂと計測拠点Ｃの時間的関連性を持たせる。
【００３６】
次に、図３に図示するように、Ｔａ−Ｔｂ＝Ｔａ−Ｔｂ１＜−Ｔ／２の時（すなわち、Ｔｂが、計測開始トリガー信号ｂのトリガー波形ｂ１を受信した時から次に標準長パルス信号ｄのパルスが立上る点ｄ１までのサンプリング周期Ｔｂ１（サンプリングの数）である時）、標準長パルス信号ｃのパルスが立上る点ｃ０と標準長パルスｄのパルスが立上る点ｄ１は異なる時刻の立上り点と判断し、計測拠点Ｂではｃ０を、計測拠点Ｃではｄ１の１周期分先の立上る点ｄ０を仮想しこの点を、同時刻として時間的関連性を持たせる。（ｃ０とｄ１−Ｔ＝ｄ０が同じ時刻とし判断する。）
また、図４に図示するように、Ｔａ−Ｔｂ＝Ｔａ１−Ｔｂ＞Ｔ／２の時（すなわち、Ｔａが、計測開始トリガー信号ａのトリガー波形ａ１を受信した時から次に標準長パルス信号ｃのパルスが立上る点ｃ１までのサンプリング周期Ｔａ１（サンプリングの数）である時）、標準長パルス信号ｂのパルスが立上る点ｂ０と標準長パルス信号ａのパルスが立上る点ａ１は異なる時刻の立上り点と判断し、計測拠点Ｃではｄ０を、計測拠点Ｂではｃ１の１周期分先の立上る点ｃ０を仮想しこの点を、同時刻として時間的関連性を持たせる。（ｄ０とｃ１−Ｔ＝ｃ０が同じ時刻とし判断する。）
次に、各計測拠点Ｂ，Ｃのデータ記録手段２６で記録されるデータは収集に係るセンシングデータと当該センシングデータ収集時点の標準短パルス信号のオン・オフ状態も対として順次記録するようにしてあるものだから、標準長パルス信号の立上り（または立下り）からの時刻を標準短パルス信号とサンプリング周期信号を用いて演算処理するようにすれば、センシングデータとの時間的関連性をより正確に持たせるように演算処理することができる。
【００３７】
なお、必ずしも標準短パルス信号を用いる必要はなく、標準長パルス信号の立上り（または立下り）からの時刻をサンプリング周期信号のみで演算処理するようにしてもよい。この場合は標準短パルス信号を用いる場合と比較して多少精度が落ちる。
【００３８】
以上のように、各計測拠点での計測の開始は、基地局Ａからの計測開始トリガー信号発生手段１０により発生させた計測開始トリガー信号を計測開始トリガー信号受信手段２１で受信した時点から行うようにしてあるものだから、計測する際に前もって計測時間のスケージュリングをする必要がなく、基地局からいつでも計測を開始することができる。
【００３９】
そして、少なくとも前記各測定拠点Ｂ，Ｃの計測開始トリガー信号受信手段２１間の計測開始トリガー信号受信時刻差の２倍を超える長い周期で前記ＧＰＳ受信手段２２が受信する時刻信号波に基づき他の測定拠点におけるそれと時刻同期し且つ同じ周期の標準パルス信号を標準長パルス信号発生手段２３で発生させるようにしており、各計測拠点Ｂ，Ｃで衛星からの時刻信号波をＧＰＳ受信手段２２が受信する際に、逐次現在の時刻までの判別する必要がなく、ＧＰＳ受信部での処理を簡単にすることができる。
【００４０】
なお、上記実施形態では、標準長パルス信号の立上り点を同期基準としたが、立下り点を同期基準にしてもよい。
【００４１】
また、上記実施形態では、二つの計測拠点Ｂ，Ｃを設けた場合で説明したが、同様の構成を具備した計測拠点を更に複数設けて計測するようにして実施できることは勿論のことである。この場合には、少なくとも各測定拠点の計測開始トリガー信号受信手段２１間の計測開始トリガー信号受信時刻差の２倍を超える長い周期で前記ＧＰＳ受信手段２２が受信する時刻信号波に基づき他の測定拠点におけるそれと時刻同期し且つ同じ周期の標準パルス信号を標準長パルス信号発生手段２３で発生させるようにしておく必要がある。このようにしておけば、計測開始トリガー信号ａのトリガー波形が同期する標準長パルス信号の立上り（または立下り）点を見つけ出すことができるものである。
【００４２】
更に、基地局と一つの計測拠点とを同一拠点として各構成を共に備えるようにしてもよい。
【産業上の利用可能性】
【００４３】
本発明の同時多点計測システムは、例えば、水道管に適宜間隔で配置した漏水センサーからのデータに時間的関連性を持たせて記録することができるので、記録されたデータを基に水道管からの漏水個所を見つけ出すことに利用できる。
【図面の簡単な説明】
【００４４】
【図１】本発明に係る同時多点計測システムを説明する説明図である。
【図２】本発明に係る同時多点計測システムにおける各計測拠点での各信号およびセンシングデータを説明する説明図である。
【図３】本発明に係る同時多点計測システムにおける各計測拠点での各信号およびセンシングデータを説明する他の説明図である。
【図４】本発明に係る同時多点計測システムにおける各計測拠点での各信号およびセンシングデータを説明する他の説明図である。
【符号の説明】
【００４５】
Ａ  基地局
Ｂ  計測拠点
Ｃ  計測拠点
１０  計測開始トリガー信号発生手段
２０  センサー手段
２１  計測開始トリガー信号受信手段
２２  ＧＰＳ受信手段
２３  標準長パルス信号発生手段
２４  標準短パルス信号発生手段
２５  サンプリング周期出力手段
２６  データ記録手段
【図１】
0004683857.tif 000002
【図２】
0004683857.tif 000003
【図３】
0004683857.tif 000004
【図４】
0004683857.tif 000005